(57)【要約】【課題】飼い主やトリマーなどに負担をかけず、短時間に効率よく大型のペットを乾燥させることができるペットの乾燥機１であって、ほぼ扉１枚分の開きが得られる引き戸及び片開きの開き戸などの普通の扉から部屋の中に搬入出することを可能にしたペットの乾燥機１を提供することにある。【解決手段】ペットを格納可能な大きさを有する籠２であって、開孔率５０％以上の部材で胴部を構成した籠２を横にして設置し、籠２の胴部の外周を略環状に取り巻くノズルダクト７を設けてその内側面７ａにノズルを配置する。そしてヒータで暖めた空気をブロア１０によりノズルダクト７に送風しつつ、ノズルダクト７が籠２の胴部の前方部２ａと後方部２ｂの間を移動するように構成する。【選択図】図１
2007209232.tif 000002
【特許請求の範囲】
【請求項１】
筒状の籠であって５０％以上の開孔率を有する部材で胴部を構成した籠と、前記籠の胴部の外周を略環状に取り巻くダクトであって内側面にノズルを設けたノズルダクトを有し、前記ノズルダクトが前記胴部の前方部と後方部の間を移動することを可能に保持し、さらに前記ノズルダクトを移動させる駆動装置と、前記ノズルダクトに空気を送風するブロアと、前記ブロアで送風する空気を暖めるヒータとを有することを特徴とするペットの乾燥機。
【請求項２】
請求項１に記載したペットの乾燥機において、籠の胴部の断面が水平方向の幅寸法より垂直方向の高さ寸法の方を大きくした断面（以下単に「縦長断面」という。）を有するものとし、前記籠の前方部と後方部の両方にそれぞれ開口を設けたことを特徴とするペットの乾燥機。
【請求項３】
請求項１又は請求項２のいずれかに記載したペットの乾燥機において、装置を囲うケーシングと前記ケーシングの仕切を設け、前記ケーシングの一方を乾燥室として籠とノズルダクトを取り付け、他方を機械室としてブロアを取り付けたことを特徴とするペットの乾燥機。
【請求項４】
請求項３に記載したペットの乾燥機において、仕切にスリットを設け、ブロアからノズルダクトへのダクト配管が前記スリットを貫通するようにし、ノズルダクトの移動に伴い前記ダクト配管も移動可能な構成とし、前記スリットの隙間を塞ぐ蓋を設けたことを特徴とするペットの乾燥機。
【請求項５】
請求項４に記載したペットの乾燥機において、可撓性のある部材をエンドレスにつないだ蓋によりスリットを塞いだことを特徴とするペットの乾燥機。
【請求項６】
請求項３に記載したペットの乾燥機において、仕切にスリットを設け、前記スリットの上に中継ダクトを設けてこれとブロアとをダクト配管でつなぎ、可撓性のある部材をエンドレスにつないだ蓋により前記スリットの隙間を塞ぎ、前記蓋に取り付けたダクトにより前記中継ダクトとノズルダクトとの間をつないだことを特徴とするペットの乾燥機。
【請求項７】
請求項５又は請求項６のいずれかに記載したペットの乾燥機において、可撓性のある部材をエンドレスにつないだ蓋を駆動装置により走行させ、前記蓋の走行に伴いノズルダクトを移動させる構成としたことを特徴とするペットの乾燥機。
【請求項８】
請求項３〜請求項７のいずれかに記載したペットの乾燥機において、乾燥室と機械室の両方にそれぞれ換気用の開口を設け、さらに前記乾燥室の空気をブロアの吸込口に供給する吸込ダクトを設けたことを特徴とするペットの乾燥機。
【請求項９】
請求項３〜請求項８のいずれかに記載したペットの乾燥機において、籠の前方部及び後方部の開口に合わせ、ケーシングの前面及び後面の両方の面に扉を設けたことを特徴とするペットの乾燥機。
【請求項１０】
請求項９に記載したペットの乾燥機において、少なくとも一方の扉にペットが外に顔を出すことを可能とする首穴を設けたことを特徴とするペットの乾燥機。
【請求項１１】
請求項１０に記載したペットの乾燥機において、扉が上下方向に長大な長穴を有するものとし、前記扉に穴を有する首穴板を重ね、前記長穴と前記穴とで構成する開口を首穴としたことを特徴とするペットの乾燥機。
【発明の詳細な説明】
【技術分野】
【０００１】
本発明は、家庭で飼育するペットを洗った後に各家庭においてペットを乾かすために使用することに適したペットの乾燥機、及びトリミング店や獣医などがペットを洗った後にペットを乾かすために使用することに適したペットの乾燥機に関する。
特に、大型のペットを乾燥することが可能であって、ほぼ扉１枚分の開きが得られる引き戸や片開きのドアなど（以下単に「普通の扉」という。）から搬入出することが可能なペットの乾燥機に関する。
【背景技術】
【０００２】
家庭の屋内で犬、猫、ウサギ、フェレットなどをペットとして飼育している場合や、トリミング店や獣医では頻繁にペットを洗うことが行われている。通常ペットを洗うときはペットを洗った後にタオルで拭き、その後ドライヤーを使用して温風を吹き付けてペットを乾燥させていた。
しかし体全体に長い毛を有するペットの場合は、乾燥のために長時間を要する問題があった。また、ペットはおとなしくじっとしていることは少なく常に動くため、ペットを静止させるために手間がかかり飼い主やトリマーなどの大きな負担となっていた。さらに、ペットから抜け落ちた毛が舞いあがり部屋の中に毛が散乱して掃除の手間がかかる問題を有していた。
飼い主やトリマーなどに負担をかけず短時間に効率よくペットの乾燥を可能としたものとして、ケーシングの中に設けた開口率の高い部材からなる概略円筒形状の籠の中にペットを格納し、籠の概略円筒面の外側を公転するノズルダクトを設け、ヒータで暖めた温風をノズルからペットに向かって吹き出させるペットの乾燥機があった（例えば、特許文献１、２、３参照。）
しかし、これらのペットの乾燥機を大型のペットに合わせたサイズにすると、乾燥機の幅が大きくなり、扉複数枚分の開きが得られる引き戸や両開きのドアなどからは搬入出することが可能であっても、普通の扉から部屋の中に搬入出することができなくなる問題があった。
【特許文献１】実用新案登録第３１１２７７９号
【特許文献２】実用新案登録第３１１３１５５号
【特許文献３】実用新案登録第３１１５６５９号
【発明の開示】
【発明が解決しようとする課題】
【０００３】
本発明の目的は、飼い主やトリマーなどに負担をかけず、短時間に効率よく大型のペットを乾燥させることができるペットの乾燥機であって、普通の扉から部屋の中に搬入出することを可能にしたペットの乾燥機を提供することにある。
【課題を解決するための手段】
【０００４】
ペットを格納可能な大きさを有する筒状の籠であって、５０％以上の開孔率を有する部材で胴部を構成した籠を水平に設置し、籠の胴部の外周を略環状に取り巻くノズルダクトを設けてその内側面にノズルを配置し、ノズルダクトに暖めた空気を送風し、上下左右、斜め上から、斜め下からなど数多くの方向からペットに温風を吹き付けつつ、ノズルダクトが籠の胴部の前方部と後方部の間を移動するように構成する。
【発明の効果】
【０００５】
本発明により、飼い主やトリマーなどに負担をかけず、短時間に効率的にペットを乾燥させることを可能としたペットの乾燥機を提供することができた。
自然な姿においてペットを正面から見た場合、多くのペットは横幅に比べ高さの方が大きなサイズを有している。本発明では籠の胴部の断面が水平方向の幅寸法より垂直方向の高さ寸法の方を大きくした断面（以下単に「縦長断面」という。）にすることが可能なため、乾燥機の幅を小さくして普通の扉から搬入出可能なペットの乾燥機を提供することができた。
また、本発明によりノズルとペットの体の距離を短く設定することが可能である。このため、ペットに吹き付ける温風が空気抵抗により減速することが少なく、エネルギー効率の高いペットの乾燥機を提供することができた。
【発明を実施するための最良の形態】
【０００６】
請求項１の発明は、筒状の籠であって５０％以上の開孔率を有する部材で胴部を構成した籠と、前記籠の胴部の外周を略環状に取り巻くダクトであって内側面にノズルを設けたノズルダクトを有し、前記ノズルダクトが前記胴部の前方部と後方部の間を移動することを可能に保持し、さらに前記ノズルダクトを移動させる駆動装置と、前記ノズルダクトに空気を送風するブロアと、前記ブロアで送風する空気を暖めるヒータとを有するペットの乾燥機とする。
籠はペットを格納可能な大きさを有するものとし、胴部を横にして取り付け、前方部又は後方部のいずれか一方又は両方に開口を設けてペットを籠の中に出入り可能にする。
籠の胴部の材料としては打ち抜き材料、網状の材料、格子状の材料、簀の子状の材料、エキスパンドメタル状の材料などが考えられ、胴部の全面積に対する空間の比率である開孔率が５０％以上になるようにする。開孔率は６０％、７０％、８０％、９０％と高くすれば高いほど良く、可能な限り開孔率を１００％に近づけることが好ましい。
しかし、開孔率を高くするために過度に目の粗い材料でペットの足が乗る部分を構成するとペットが足を踏み外す問題が生じる。かかる場合は、ペットの足が乗る部分のみ開孔率の低い材料として、他の部分に開孔率の高い部材を用いることにより、全体として高い開孔率を有する胴部とする方法は有効である。
ノズルダクトは籠の胴部を略環状に取り巻くように配置するが、実質的に籠の胴部を取り巻けばよく途中に途切れる部分があっても構わない。そして、ノズルダクトの籠側の面となる内側面にノズルを設ける。
ノズルは多数の穴で構成しても、複数の長穴で構成しても、断面積縮小型のノズルを多数取り付けてもよい。ノズルはペットの体に対し上下左右、斜め上、斜め下など可能な限り全方向から温風を吹き付けるように配置することが好ましい。
ノズルダクトを移動可能に保持する構成としては、ノズルダクトに車輪を取り付ける構成や、軸にガイドされたブッシュにノズルダクトを取り付ける構成や、直線ガイドでノズルダクトを保持する構成などがある。
ノズルダクトを移動させる方法としては、ノズルダクトに取り付けた車輪をモータで駆動する方法や、油圧や空圧や電動などのシリンダでノズルダクトを押し引きする方法や、ボールネジをモータで回転させてボールネジナットにノズルダクトを取り付ける方法などがある。
また、ワイヤやロープやチェンやベルトなどの引っ張り部材を巻取り装置と巻出し装置の組み合わせて走行させ、あるいは引っ張り部材をエンドレスにつないで走行させて、ノズルダクトを引っ張り部材に取り付ける方法などがある。
ブロアとノズルダクトの間にはダクト配管を設けるが、ノズルダクトを移動可能にするためその一部にフレキシブルな可撓性ダクトを使用する方法や、スリットを有する中継ダクトを設けて、スリットの蓋と共にノズルダクトを移動させる方法など好ましい。ヒータはブロアの吸込口に設けても、ブロアの吹出口に設けても、ダクト配管の途中に設けても、ノズルダクトの入り口に設けても構わない。
【０００７】
請求項２の発明は、請求項１に記載したペットの乾燥機において、籠の胴部の断面が縦長断面を有するものとし、前記籠の前方部と後方部の両方に開口を設けたペットの乾燥機とする。
籠の胴部の断面形状を楕円形状、小判形状、長方形状などにすれば容易に縦長断面を得ることができる。また、籠の前方部と後方部の開口にはそれぞれ扉を設ける。ペットを出入りさせるには籠の前方部と後方部が好ましいからである。
自然な姿においてペットを正面から見た場合、多くのペットは横幅に比べ高さの方が大きなサイズを有しているため、横幅を小さくしたペットの乾燥機とすることが可能であり、籠の横幅を小さくしたペットの乾燥機とすることにより、普通の扉から部屋の中に搬入出することを可能にしたペットの乾燥機を提供することが可能になるからである。
籠の胴の幅を狭くするとペットが中でＵターンすることができなくなったり、ペットが籠の中にはいることをいやがる場合があるが、入り口と反対側に扉があればＵターンする必要がなくなり、反対側の扉から飼い主が声をかければおとなしく籠の中に入る効果が得られるからである。
請求項３の発明は、請求項１又は請求項２のいずれかに記載したペットの乾燥機において、装置を囲うケーシングと前記ケーシングの仕切を設け、前記ケーシングの一方を乾燥室として籠とノズルダクトを取り付け、他方を機械室としてブロアを取り付けたペットの乾燥機とする。
ケーシングで装置を囲い、仕切により乾燥室と機械室とを分離することにより、温風を循環させて熱エネルギーの効率を高めることができ、またペットの毛など乾燥室で発生する塵埃が外に出たり機械室に入ることを防止して、塵埃がペットの乾燥機の回りを汚したり、塵埃により発生する機構部のトラブルを防ぐことができるからである。
ブロアとノズルダクトの間のダクト配管において、固定したダクトにより仕切を貫通する場合には、ブロアから仕切までのダクト配管については固定の配管とし、仕切からノズルダクトまでのダクト配管を可撓性ダクトとする構成が好ましい。
請求項４の発明は、請求項３に記載したペットの乾燥機において、仕切にスリットを設け、ブロアからノズルダクトへのダクト配管が前記スリットを貫通するようにし、ノズルダクトの移動に伴い前記ダクト配管も移動可能な構成とし、前記スリットの隙間を塞ぐ蓋を設けたペットの乾燥機とする。
本発明は、ダクト配管が仕切に設けたスリットを貫通する構成としたものである。スリットはダクト配管が移動するため長尺な開口にして、ダクト配管が貫通する部分以外の開口を塞ぐための蓋を設けたものである。
蓋はベルトやゴム板やよろい戸と呼ばれるシャッタなど可撓性のある部材をダクト配管の両側に取り付け、両端に巻取り巻戻し装置を取り付ける構成としたり、ダクト配管の両側に蛇腹や多段式のスライドドアを取り付ける構成とすることが好ましい。
【０００８】
請求項５の発明は、請求項４に記載したペットの乾燥機において、可撓性のある部材をエンドレスにつないだ蓋によりスリットを塞いだペットの乾燥機とする。
可撓性のある部材をエンドレスにつないだ蓋とすることにより、巻取り巻戻し装置を不要とすることができ、蛇腹や多段式のスライドドアの格納スペースを省略することができるため、小型で単純なペットの乾燥機とすることができるからである。
請求項６の発明は、請求項３に記載したペットの乾燥機において、仕切にスリットを設け、前記スリットの上に中継ダクトを設けてこれとブロアとをダクト配管でつなぎ、可撓性のある部材をエンドレスにつないだ蓋により前記スリットの隙間を塞ぎ、前記蓋に取り付けたダクトにより前記中継ダクトとノズルダクトとの間をつないだペットの乾燥機とする。
スリットの上に下側を開放した中継カバーを設け、中継カバーと仕切とで中継ダクトを構成し、蓋に取り付けた剛性を有するダクトをノズルダクトに連結し、ノズルダクトの移動に伴い蓋も移動するように構成することが好ましい。本発明により、特に耐久性に優れたダクト配管が可能になった。
請求項７の発明は、請求項５又は請求項６のいずれかに記載したペットの乾燥機において、可撓性のある部材をエンドレスにつないだ蓋を駆動装置により走行させ、前記蓋の走行に伴いノズルダクトを移動させる構成としたペットの乾燥機とする。
本発明は、ノズルダクトに取り付けたダクトに剛性を持たせて蓋を貫通させ、蓋を走行させることにより蓋と共にノズルダクトも走行するように構成したものである。駆動装置としてはモータで駆動するローラを使用してベルトを走行させる装置や、シリンダによりゴム板を走行させる装置や、シャッタにチェンを取り付けてチェンホイールを介してチェンをモータで駆動する装置など考えられる。
請求項８の発明は、請求項３〜請求項７のいずれかに記載したペットの乾燥機において、乾燥室と機械室の両方にそれぞれ換気用の開口を設け、さらに前記乾燥室の空気をブロアの吸込口に供給する吸込ダクトを設けたペットの乾燥機とする。
乾燥室に換気用の開口を設けたのは乾燥室の空気の湿度が高くならないように換気するためである。乾燥室の中の空気にはペットの毛などの塵埃が含まれるので、乾燥室の開口には網を張りペットの毛などの塵埃が外に出ないようにすることが好ましい。
機械室に換気用の開口を設けたのは、乾燥室の中の空気と外気を導入した機械室の中の空気とを適宜混合することにより、ペットに吹き付ける温風の湿度を下げるようにしたものである。このとき機械室の開口にはフィルタを取り付けて塵埃が入ることを防止することが好ましい。
【０００９】
請求項９の発明は、請求項３〜請求項８のいずれかに記載したペットの乾燥機において、籠の前方部及び後方部の開口に合わせ、ケーシングの前面及び後面の両方の面に扉を設けたペットの乾燥機とする。ペットを出入りさせるには籠の前方部と後方部が好ましいからである。
また、籠の胴の幅を狭くするとペットが中でＵターンすることができなくなったり、ペットが籠の中にはいることをいやがる場合があるが、入り口と反対側にも扉があればＵターンする必要がなくなり、反対側の扉から飼い主が声をかければおとなしく籠の中に入る効果が得られるからである。
請求項１０の発明は、請求項９に記載したペットの乾燥機において、少なくとも一方の扉にペットが外に顔を出すことを可能とする首穴を設けたペットの乾燥機とする。
いずれか一方又は両方の扉に首穴を設けて、ペットが扉の穴から首を出すことを可能な構成にして、ペットが顔に温風の吹き付けを受けることをなくしたものである。ペットは顔に温風の吹き付けを受けると、目や鼻の中の粘膜や肺が乾燥してしまい病気を罹患しやすくなるが、これを防ぐためである。
請求項１１の発明は、請求項１０に記載したペットの乾燥機において、扉が上下方向に長大な長穴を有するものとし、前記扉に穴を有する首穴板を重ね、前記長穴と前記穴とで構成する開口を首穴としたペットの乾燥機とする。
扉の長穴を、上部に設けた半径の大きな概略半円弧と下部に設けた小さな概略半円弧と上下の概略半円弧を結ぶ２本の直線で構成すると、扉の長穴と首穴板の穴が重なってできる首穴が、上部で大きく下部で小さくなってペットの大きさに合わせた首穴とすることができるため好ましい。
以上の全てのペットの乾燥機において、籠の下に容器を設けたペットの乾燥機とすることが好ましい。
ペットを乾燥させるときにはペットから水滴や毛などが落下するが、籠の下に容器を置けば水滴や毛などが容器に収容され、容器を引き出して回収することや掃除をすることが容易となるからである。
【実施例１】
【００１０】
以下本発明の実施例１を図１〜図４に示し説明する。実施例１のペットの乾燥機１は大型のペット用の乾燥機である。
実施例１はケーシング３と、前方部２ａと後方部２ｅの両方を開口とした籠２と、籠２の胴部との間に隙間を設けて環状に取り巻くように配置したノズルダクト７と、ノズルダクト７を保持する直線ガイド８を有するものとした。
ケーシング３は、前面３ａと後面３ｂと２枚の側面３ｃと天井面３ｅとを有する直方体形状のものとし、仕切３ｄを設けて乾燥室３ｆと機械室３ｇとに分離した。乾燥室３ｆには図示しない開口を設けて網戸を取り付け、機械室３ｇには図示しない開口を設けてフィルタを取り付けた。
籠２は開孔率８０％のエキスパンドメタルからなり、胴天井２ｂと胴床面２ｃと２枚の胴側面２ｄとを有し、４隅を丸めた概略長方形の縦長断面を有する胴部として、ケーシング３の前面３ａと後面３ｂに取り付けた。さらに、前面３ａと後面３ｂには籠２の開口に合わせた穴を開け、その穴を塞ぐ扉４を前面３ａと後面３ｂの両方に取り付けた。
ノズルダクト７は内側面７ａに多数の図示しないノズルを有するものとし、仕切３ｄに取り付けた直線ガイド８により保持され、籠２の前方部２ａから後方部２ｅまでの間を移動可能にした。直線ガイド８は支持フレーム８ａにレール８ｂを取り付け、レール８ｂにガイドされるブロック８ｃにノズルダクト７を取り付ける構成とした。
仕切３ｄにはスリット３ｈを設けベルト５ａで蓋をした。また、一端においてノズルダクト７に結合し他端にエルボ形状を有する剛性ダクト７ｂを、ベルト５ａを貫通させて取り付けた。
ベルト５ａはエンドレスとし３隅にローラ５ｂを取り付け１カ所に駆動装置５を設けた。駆動装置５は２個の駆動ローラ５ｅでベルト５ａを挟み、モータ５ｄで歯車５ｃを駆動し、２個の歯車５ｃをかみ合わせることにより、２個の駆動ローラ５ｅを互いに逆方向に回転させる構成とした。
機械室３ｇにはブロア１０を設け、ブロア１０の吸込口１０ａに対して小さな隙間１０ｃを設けて、吸込ダクト１０ｂを取り付けて乾燥室３ｆの空気を吸込口１０ａまで導通させる構成とした。
ブロア１０の吹出口１０ｄには図示しないヒータ９ａを取り付け、吹出口１０ｄと剛性ダクト７ｂとの間を可撓性ダクト９でつないだ。
扉４には上部の概略半円弧４ｂと下部の概略半円弧４ｄと上下の概略半円弧４ｂ、４ｄを結ぶ接線である２本の直線４ｃとからなる長穴４ａを設けた。このとき半円弧４ｂの半径の方が半円弧４ｄの半径より大きな半径になるように構成した。
また、首穴板６を扉に沿ってスライド可能に拘束する２本のガイド４ｅと首穴板６の位置決めを行うためのストッパ４ｆ及びボルト４ｇを取り付けた。そして、穴６ａを有する首穴板６を扉に重ねて取り付けた。穴６ａの半径は概略半円弧４ｂの半径と同じとし、穴６ａを首穴板６の小型辺６ｂ近くであって大型辺６ｃから離れた位置に取り付けた。
そして、小型辺６ｂを下にしてストッパ４ｆに当てると扉４の下部の概略半円弧４ｄの中心と穴６ａの中心が一致し、大型辺６ｃを下にしてストッパに当てると扉４の上部の半円弧４ｂの中心と穴６ａの中心が一致するように構成した。
また、籠２の下には容器２０を設け図示しない取っ手っを押し引きすることにより、容器２０を引き出すことを可能に取り付けた。
【００１１】
実施例１は上記のように構成されており以下その作用について説明する。犬を洗った後に乾燥させるため実施例１のペットの乾燥機１を使用する飼い主やトリマーが、例えば前面３ａから犬を籠２に入れる場合は、前面３ａ側の首穴を塞いで後面３ｂ側の首穴の高さを犬に合わせて設定する。
首穴板６をスライドさせてガイド４ｅから抜き出し、犬が小型の場合は小型辺６ｂを下にして、犬が大型の場合は大型辺６ｃを下にして、ガイド４ｅに差し込み小型辺６ｂや大型辺６ｃがストッパ４ｆに当たるまで差し込む。また、犬が中型の場合はボルト４ｇで首穴板の高さを位置決めすることによりそれぞれの犬の首の高さに合わせる。
このようにすると、犬が小型の場合は下部の概略半円弧４ｄと穴６ａの上方の円弧とで構成する首穴となり、犬が大型の場合は扉４の上部の概略半円弧４ｂと一致する穴６ａで構成する首穴となる。また、犬が中型の場合は扉４の長穴ａの直線４ｃと穴６ａの上下の円弧とで構成する首穴となる。  
そして、前面３ａの扉４を開けて犬を籠２に格納した後に扉４を閉める。犬が籠の中にはいることをいやがる場合があるが、後面３ｂの扉４から飼い主やトリマーが声をかければおとなしく籠の中に入る効果が得られる。
飼い主やトリマーが声がけすると犬は首穴から顔を出して飼い主やトリマーに触れ合おうとする。このように、本発明は小型の犬から大型の犬まで自由に首穴６ａの高さを調整可能としたものである。
その後ブロア１０を駆動し、モータ５ｄを正転させたり逆転させると、ベルト５ａの移動に伴いノズルダクト７は籠２の前方部２ａと後方部２ｄの間を往復移動する。
【００１２】
乾燥室３ｆの空気は吸込ダクト１０ｂを通り吸込口１０ａからブロア１０に吸引されるが、隙間１０ｃがあるため機械室３ｇの開口を通って導入した外気も一緒に吸引されて、ブロア１０に吸引される空気の湿度が過度に高くなることはない。
ブロア１０に吸引された空気は吹出口１０ｄに設けたヒータ９ａにより加熱され、温風となって可撓性ダクト９と剛性ダクト７ｂを通過してノズルダクト７に供給され、ノズルダクト７の内側面７ａに設けた多数のノズルから吹き出して、籠の胴部の開孔を通過して犬に吹き付ける。
そして、犬に吹き付けた後の湿った空気は再びブロア１０に吸引されるが、一部はケーシング３に取り付けた図示しない開口から外に流れる。
本発明では正面視において犬の体の全体に多くの方向から温風を吹き付けるよう、ノズルダクト７の内側面７ａの全体に多数のノズルを配置し、かつ、ノズルダクト７が籠２の前方部２ａから後方部２ｅの間を往復移動する構成としたので、犬の体全体にまんべんなく温風を吹き付けることができ、犬の腹や、尾と体が接触する部分や、脇の下などにも温風を吹き付け、局部的に乾きの悪い部分が生じない。
また、犬が扉４と首穴板６とで構成した首穴から顔を出した状態で温風を吹き付けるため、犬の顔に温風を吹き付けることがなく、犬が目や鼻や肺の病気を罹患しやすくなることはない。
さらに、犬の体から落下した水滴や毛などは、籠２の下に置いた容器２０に収容されるので、容器２０を引き出して回収することは容易である。
【実施例２】
【００１３】
次に実施例２を図５に示し説明する。実施例２は実施例１に対してダクト配管の構成を変えたものである。すでに実施例１に記載した内容については重複した説明を避けるため記載しない。
実施例２では仕切３ｄに明けたスリット３ｈの位置が変わっている。スリット３ｈの上に下側を開放した中継カバー１１ａを設け、仕切３ｄと中継カバー１１ａとでスリット３ｈの開口を有する中継ダクト１１を構成した。
そしてスリット３ｈをベルト５ａで蓋をした。また、一端においてノズルダクト７に結合し他端においてベルト５ａに結合する剛性ダクト１２を取り付けた。
ベルト５ａはエンドレスとし３隅にローラ５ｂを取り付け１カ所に駆動装置５を設けた。駆動装置５は２個の駆動ローラ５ｅでベルト５ａを挟み、モータ５ｄで歯車５ｃを駆動し、２個の歯車５ｃをかみ合わせることにより、２個の駆動ローラ５ｅを互いに逆方向に回転させる構成とした。
また、ブロア１０の吹出口１０ｄと中継ダクト１１の間を固定ダクト１４でつないだ。
本実施例では、ブロアー１０で送風されヒータ９ａにより加熱され、温風となった空気は固定ダクト１４から中継ダクト１１に流れ、剛性ダクト１２を通過してノズルダクト７に供給され、ノズルダクト７の内側面７ａに設けた多数のノズルから吹き出して、籠の胴部の開孔を通過して犬に吹き付ける。
本実施例により、耐久性に優れたダクト配管が可能になった。
【産業上の利用可能性】
【００１４】
本発明は、ペットの乾燥機を製造販売する産業、ペット関連物品を流通させたり販売する産業及びペットを対象としたトリミングサービスや獣医による医療サービスなどを提供する産業に利用される。
【図面の簡単な説明】
【００１５】
【図１】実施例１の正面視断面図である。
【図２】実施例１の側面視断面図である。
【図３】扉と首穴板の正面図である。
【図４】小型犬用（ａ）及び大型犬用（ｂ）に首穴を設定した状態を表した正面図である。
【図５】実施例２の正面視１部断面図（ａ）及び側面視１部断面図である。
【符号の説明】
【００１６】
１  ：ペットの乾燥機        ２  ：籠                    ２ａ：前方部
２ｂ：胴天井                ２ｃ：胴床面                ２ｄ：胴側面
２ｅ：後方部                ３  ：ケーシング            ３ａ：前面
３ｂ：後面                  ３ｃ：側面                  ３ｄ：仕切
３ｅ：天井面                ３ｆ：乾燥室                ３ｇ：機械室
３ｈ：スリット              ４  ：扉                    ４ａ：長穴
４ｂ：概略半円弧            ４ｃ：直線                  ４ｄ：概略半円弧
４ｅ：ガイド                ４ｆ：ストッパ              ４ｇ：ボルト
５  ：駆動装置              ５ａ：ベルト                ５ｂ：ローラ
５ｃ：歯車                  ５ｄ：モータ                ５ｅ：駆動ローラ
６  ：首穴板                ６ａ：穴                    ６ｂ：小型辺
６ｃ：大型辺                ７  ：ノズルダクト          ７ａ：内側面
７ｂ：剛性ダクト            ８  ：直線ガイド            ８ａ：支持フレーム
８ｂ：レール                ８ｃ：ブロック              ９  ：可撓性ダクト
９ａ：ヒータ              １０  ：ブロア              １０ａ：吸込口
１０ｂ：吸込ダクト          １０ｃ：隙間                １０ｄ：吹出口
１１  ：中継ダクト          １１ａ：中継カバー          １２  ：剛性ダクト
１４  ：固定ダクト          ２０  ：容器
【図１】
2007209232.tif 000003
【図２】
2007209232.tif 000004
【図３】
2007209232.tif 000005
【図４】
2007209232.tif 000006
【図５】
2007209232.tif 000007